(57)【特許請求の範囲】
【請求項１】
下部の底板部と上部の蓋板部とを連結した後側板部と、前記底板部に連結した前側板部と、前記前側板部に連結した重ね板部であって前記蓋板部に重ねて配置される重ね板部と、を連結すると共に各板部の境界に折れ線を設け、底側を薄板によって連結した一対の側板を前記後側板部または前側板部の両縁に連結し、携帯用かつら保持具の固着部を固着する固定面を有する下面板を前記底板部と前側板部との境界部分に設けてなる略平面シート状部材を備え、前記略平面シート状部材の前記各板部の境界に設けた前記折れ線に沿って折り畳み、前記下面板を前記一対の側板に連結された薄板の表面に重ねるようにして折り込んで二重底を形成し、他方前記蓋板部に当該蓋板部の反対側端に配置した前記重ね板部を重ね、前記一対の側板と共に箱体を形成してなることを特徴とする携帯用かつら保持具の収納ケース。
【請求項２】
かつらを保持するように形成した保持部を上部に有し、固定面に対して粘着または吸着によって固着される固着部を下部に備え、前記固着部と前記保持部との間に前記保持部が前後左右に傾斜可能なように球体を内蔵嵌合し、必要に応じて伸縮自在に形成されている中間接続構造体を介在させ、下部の前記固着部の下面には１個乃至複数個の固着部材を設け、前記固着部材を前記固定面に固着するようにしてなる携帯用かつら保持具と、下部の底板部と上部の蓋板部とを連結した後側板部と、前記底板部に連結した前側板部と、前記前側板部に連結した重ね板部であって前記蓋板部に重ねて配置される重ね板部と、を連結すると共に各板部の境界に折れ線を設け、底側を薄板によって連結した一対の側板を前記後側板部または前側板部の両縁に連結し、前記携帯用かつら保持具の固着部を固定する固定面を有する下面板を前記底板部と前側板部との境界部分に設けてなる略平面シート状部材とを備え、前記略平面シート状部材の前記各板部の境界に設けた前記折れ線に沿って折り畳み、前記下面板を前記一対の側板に連結された薄板の表面に重ねるようにして折り込んで二重底を形成し、他方前記蓋板部に当該蓋板部の反対側端に配置した前記重ね板部を重ね、前記一対の側板と共に箱体に形成し、前記下面板に有する固定面に前記携帯用かつら保持具の固着部を固着した携帯用かつら保持具の収納ケース。
【請求項３】
前記略平面シート状部材の両端部分に配置された前記蓋板部または前記重ね板部に持ち運び用の握持部が設けられていることを特徴とする請求項１又は２に記載の携帯用かつら保持具の収納ケース。
【発明の詳細な説明】
【０００１】
【発明の属する技術分野】
本発明は、全体かつらや部分かつらを安全保持する携帯用かつら保持具と該携帯用かつら保持具を安定状態で保護収納する収納ケースに関する。
【０００２】
【従来の技術】
頭部用のかつらは一般に高価なものであり、型崩れの防止や塵埃の付着防止のためケース内に入れて保持，保管されるのが普通である。この保持，保管用の収納ケースとしては各種のものがあるが、かつらを型崩れなく保管でき、且つ運搬可能な形態に形成されるものとして登録実用新案第３０５４４６８号公報に記載されるものが知られている。
【０００３】
【発明が解決しようとする課題】
前記の公知技術の「かつら収納ケース」は、平面状に展開されたシート状部材を折り曲げ形成したものからなり、その特徴としてはかつら用台座（かつら保持具に相当するもの）の底面と該底面の当接するかつら収納ケース側の底面部に面ファスナーのような固定部材を設けたものである。これによりかつら用台座は不動状態になり、かつら収納ケースを運搬してもかつらが脱落することが防止され、型崩れがなくなる。然し乍ら、この登録実用新案第３０５４４６８号公報の図面に示されるものでは、前記固定部材が所定の位置に設定され、その配設位置は決められているため、かつら収納ケースにかつら用台座を固定するときは、かつら用台座の位置合わせに手間がかかり、かつら用台座の位置がずれた場合により固着不十分となる恐れがある。
【０００４】
また、かつら収納ケースとしては単に箱体のもので、必ずしも運搬に便利なものではない。また、底面も一重であり、耐久性についても問題点がある。更に、前記実用新案登録公報は、かつら用台座について詳細に記載されておらず、かつらを保持する保持部の形状や材質についても不明である。
【０００５】
本発明は、以上の事情に鑑みて発明されたものであり、任意の形状の頭部かつらを型崩れなく安全保護できると共にかつらを保持するかつら保持具の固着が容易に、且つ確実に収納ケースに固着でき、耐久性及び持ち運び性の向上が図れる携帯用かつら保持具の収納ケースを提供することを課題とする。携帯用かつら保持具は、かつらの形状が特定されることなく、保持部全表面、保持部の表面の一部にかつらを載置し、保持部が前後左右に傾斜可能になっており、かつ、その保持部の高さも自由に調節できるものである。
【０００６】
【課題を解決するための手段】
本発明は、以上の目的を達成するために、下部の底板部と上部の蓋板部とを連結した後側板部と、底板部に連結した板部と、前側板部に連結した重ね板部であって蓋板部に重ねて配置される重ね板部と、を連結すると共に各板部の境界に折れ線を設け、底側を薄板によって連結した一対の側板を後側板部または板部の両縁に連結し、かつら保持具の固着部を固着する固定面を有する下面板を底板部と板部との境界部分に設けてなる略平面シート状部材を備え、略平面シート状部材の各板部の境界に設けた折れ線に沿って折り畳み、下面板を一対の側板に連結された薄板の表面に重ねるようにして折り込んで二重底を形成し、他方蓋板部に当該蓋板部の反対側端に配置した重ね板部を重ね、一対の側板と共に箱体を形成してなることを特徴とする携帯用かつら保持具の収納ケースを提供する。
【００１１】
また、本発明は、以上の目的を達成するために、かつらを保持するように形成した保持部を上部に有し、固定面に対して粘着または吸着によって固着される固着部を下部に備え、固着部と保持部との間に保持部が前後左右に傾斜可能なように球体を内蔵嵌合し、必要に応じて伸縮自在に形成されている中間接続構造体を介在させ、下部の固着部の下面には１個乃至複数個の固着部材を設け、固着部材を固定面に固着するようにしてなる携帯用かつら保持具と、下部の底板部と上部の蓋板部とを連結した後側板部と、底板部に連結した板部と、前側板部に連結した重ね板部であって蓋板部に重ねて配置される重ね板部と、を連結すると共に各板部の境界に折れ線を設け、底側を薄板によって連結した一対の側板を後側板部または前側板部の両縁に連結し、携帯用かつら保持具の固着部を固定する固定面を有する下面板を底板部と前側板部との境界部分に設けてなる略平面シート状部材とを備え、略平面シート状部材の各板部の境界に設けた折れ線に沿って折り畳み、下面板を一対の側板に連結された薄板の表面に重ねるようにして折り込んで二重底を形成し、他方蓋板部に当該蓋板部の反対側端に配置した重ね板部を重ね、一対の側板と共に箱体に形成し、下面板に有する固定面に携帯用かつら保持具の固着部を固着した携帯用かつら保持具の収納ケースを提供する。
【００１２】
また、本発明は、以上の目的を達成するために、請求項１又は２に記載の携帯用かつら保持具の収納ケースにおいて、略平面シート状部材の両端部分に配置された蓋板部または重ね板部に持ち運び用の握持部が設けられていることを特徴とする。
【００１３】
この発明の携帯用かつら保持具の収納ケースは、略平面シート状部材の各部、すなわち、蓋板部、後側板部、底板部、前側板部及び重ね板部の間に設けた境界の折り線に沿って折り曲げ、後側板部または前側板部の両縁に連結した一対の側板の底側を連結した薄板の表面に下面板を折り込み形成されるものからなり、略平面シート状部材の組み付けは容易であると共に携帯用かつら保持具を支持する底面が収納ケースの底板部と下面板との二重底であり耐久性がある。しかも、この二重底の間に側板間に連結した薄板が配置されるので前記底板部、下面板と相まって箱体が強固に形成される。また、蓋板部または重ね板部に持ち運び用の握持部を設けているため運搬が容易である。この握持部としては通常のハンドル、つまみ部材等の把手であってもよく、その他、後側板部、前側板部及び側板の外側面に手指を挿入できる指穴を設けてあってもよし、吊紐を取付てあってもよい。
【００１４】
前記のように携帯用かつら保持具を収納ケースに固定するにはかつらの保持部の下部の固着部に設けた固着部材を前記収納ケースの下面板の固定面に押圧すればよく、例えば、固着部材として吸盤を設けたものではこの吸盤を密着させることによって固着する。この固定面上の何処の位置でも前記保持部の下部に設けた固着部を取付られ、特別な位置合わせは不要である。また、固着部と下面板の固定面とにより両者の吸着は強固であると共に吸盤をずらせることにより容易に離脱可能であり耐久性もある。また、固着部に設ける固着部材は複数個配置することにより、固定面を形成するシート座面の何処の位置にでも固着することができ、その固定位置合わせは特に必要ない。
【００１５】
この発明の携帯用かつら保持具の下部の固着部の前記固着部材として粘着部材を設けてもよい。この粘着部材面を収納ケースの下面板表面に有する前記固定面に固着して保持部や固着部を固定することができるから安定してかつらを保持できる。
【００１６】
更に、携帯用かつら保持具の中間接続構造体は、保持部の下面に嵌挿する棒体の下端に球体を設け、下方に設けた固着部上部に配置してある中間接続構造体の台座の椀状凹部内に、この球体を嵌合する球状継手の構造を形成し、この球状継手を介して保持部を台座に保持することができ、任意の位置に保持部を回動でき、かつらの形状に対応した回動姿勢を保持することが容易にできる。また、保持部が発泡スチロール材のため軽量，安価であり、且つかつら側の損傷もない。また、任意の輪郭形状のかつら保持具を容易に作ることができる。
【００１７】
【発明の実施の形態】
以下、本発明の携帯用かつら保持具と収納ケースとの実施の形態について図面を参照して詳述する。図１乃至図５は主に携帯用かつら保持具に関するものであり、図６乃至図１０は主に携帯用かつら保持具の収納ケースに関するものである。
【００１８】
まず、この発明の携帯用かつら保持具について説明する。
図１に示すかつら保持具１は、上部の保持部５、中間の中間接続構造体Ｃ及び下部の固着部７からなり、このかつら保持具１は後述する略平面シート状部材を折り畳んだ箱体の収納ケース２内に収納されると共に収納ケース２の底側に設けた下面板３３の固定面に固着部７を着離可能に配着してある。
【００１９】
更に具体的に説明すると、図２に示すように、かつら保持具１は卓机面、箱体底面等の固定面に固着する固着部材である吸盤部材１７を下面に設けた固着部７と、かつら３を保持する略弧面状に形成した保持部５と、前記固着部７と前記保持部５との間に介在される椀状凹部１０を備えた台座４、下部に球体部１２を具え、上部に前記保持部５に嵌挿する係止部１３を具えた連結具６からなる中間接続構造体Ｃとから構成してある。
【００２０】
この固着部７は、下面に吸盤部材、粘着部材など配置し、収納ケース２の下面板３３の表面に配設したシート座面に固着することができ、図２乃至図４に示すように中間接続構造体Ｃの台座４の下部に設けたフランジ部８の下面のボス部１１及び固着部の固着部材である吸盤部材１７とからなる。
吸盤部材１７は図４に示すように末広がりの吸盤部１７ａとこの吸盤部材１７をフランジ部８の下面に固定する前記ボス部１１に挿入する凸部１８からなり、樹脂材から一体構造に形成される。このボス部１１に形成した挿入部内に吸盤部材１７の凸部１８を嵌合するようになっている。なお、この実施の形態ではボス部１１は５箇配設され、同数の吸盤部材１７が配置してある。吸盤部材１７のボス部１１への固着はビス１９により行われるため劣化時には変換が容易にできる。ボス部１１はこの実施の形態では図３に示すように５箇所等分に形成されるがこれに限定するものではない。
【００２１】
前記台座４は、下部に円形のフランジ部８を形成し、固着部７の上部に配置し、上部の外周面にはねじ部９を形成し、このねじ部９内にはかつら３の保持部５の連結具６の下端に設けた球体部１２を嵌合するように椀状凹部１０を形成してある。この台座４は、その下面をレール式にしてスライドし、固着部７に嵌合固着するようにしてもよく、また、固着部７の上部にかしめ構造で嵌着することもでき、更に、固着部７に埋め込み形式にして固着することもできる。
【００２２】
中間接続構造体Ｃは、上端部分を保持部５の固定孔１６に嵌挿するようにテーパ状に形成した係止部１３を備え、下部に球体部１２を設けた連結具６と、この球体部１２を嵌合する椀状凹部１０を形成し、この椀状凹部１０の外周面のねじ部９に螺着するナット１４を備えた台座４とからなる。
連結具６を台座４に連結するには連結具６の球体部１２を台座４の椀状凹部１０に当接嵌合し、ナット１４を前記ねじ部９に螺合して固定し、このねじ部９を緩めた状態で連結具６の傾斜角度を適宜調整した後、ナット１４をねじ部９に螺合して固定して行われる。保持部５と連結具６との係合状態は係止部１３の挿入度合いを調節してその高さを調節できるようになっている。また、図面に示していないが連結具６は複数の棒体を嵌合して連接して数段に形成し、任意の位置に係止できるようにして伸縮可能に形成することもできる。この連結具６を伸縮自在に形成することにより保持部５の高さを自由に変更することができる。
【００２３】
また、保持部５は図２に示すようにかつら３の輪郭形状に見合う略弧状面１５を頂度に形成すると共にこの保持部５の下側に連結具６の係止部１３の固定孔１６を穿孔するものからなる。保持部５はこの実施の形態では発泡スチロール材からなり、一体的に形成される。なお、保持部５には軽量化のための空隙部５ａが穿孔されている。
【００２４】
かつら保持具１は以上のような構造からなるが、特に、連結具６の下端の球体部１２を介して固着部７の台座４に連結する形態にしたのは次の理由による。即ち、図５に示すように、かつら３は頭部２０の全面に被着する場合もあるが部分的に被着する場合も多く、図示のようにかつら３を保管する場合においても頭部２０に被着したと同じような形態で行うことが望ましいため傾斜状態にする。また、かつら保持具１にかつら３を被着した状態でかつら３の手入れをする場合でも傾斜している方がやり易い場合もあるためである。
【００２５】
次に、この発明の携帯用かつら保持具の収納ケース２を図６乃至図１０により説明する。
図６は略平面シート状部材を、蓋板部２９、後側板部２６、底板部３０、前側板部３１及び重ね板部３２の各板部の境界部分の折れ線に沿って折り畳んで箱体に組み上げ、後側板部２６の両縁に連結した一対の側板２４、２４間の薄板２５内に、底板部３０と前側板部３１との境界部分に設けた下面板３３を折り込み、全体を箱体に形成された収納ケース２の外観を示す。収納ケース２はかつら保持具１を収納する密閉状の内部空間２１を形成すると共にかつら保持具１の固着される円板状のシート座面２２や収納ケース２を運搬する場合に用いる握持部であるハンドル２３等が設けられている。
【００２６】
かつら保持具１を支持する略平面シート状部材で箱体に形成した収納ケース２は図示のように略平面シート状部材の底板部３０と内側に折り込む下面板３３とにより、二重底に形成され、後側板部２６の両縁に連結した一対の側板２４，２４間の薄板２５により強固な箱が形成され、これによって箱体の耐久性の向上を図っている。
【００２７】
また、箱体を形成した収納ケース２の上部には蓋板部２９と重ね板部３２との重ね部分に握持部であるハンドル２３が設けられ、全体の持ち運びの容易化を図っている。このハンドルに代え各側板に手指の挿入部分を設けて把持できるようにしてもよく、携帯用の吊紐を取付けてもよい。
かつら保持具１と収納ケース２との固着は、後に詳しく説明するが、収納ケース２の下面板３３の表面に有する固定面であるシート座面２２にかつら保持具１側の固着部７に設けた吸盤部材１７を押圧して吸着させる構造からなる。また、かつら３はかつら保持具１の発泡スチロール材の保持部５に被着されて保持される。この保持部５の発泡スチロール材の表面上部を軟質合成樹脂で被覆してあるので、かつらの保持が確実に行なうことができる。
なお、この下面板３３上に形成したシート座面２２は薄膜状の樹脂材からなり、かつら保持具１の吸盤部１７ａと相性のよい合成樹脂材が望ましい。図７は図６のＡ−Ａ線断面形状の概要構造を示すものである。
【００２８】
図８，図９は収納ケース２の組み込み前の略平面シート状部材の展開形状を示すものである。展開時において収納ケース２は次の部材からなる。即ち、後側板部２６とこの後側板部２６の両縁に連結した一対の側板２４，２４間の底側に連結される薄板２５とからなるボックス部２７と、このボックス部２７の開口部２８側において後側板部２６と連結する蓋板部２９と、ボックス部２７の薄板２５側において後側板部２６と連結される底板部３０と、この底板部３０に連結される前側板部３１と、前側板部３１に連結される重ね板部３２と、底板部３０と前側板部３１との連結部において立ち上がり状態で設けられる下面板３３等とから構成される。
なお、前側板部３１はボックス部２７の側板２４，２４間の上面を覆う第１前側板部３１ａと側板２４，２４のコーナ部３４の部分を覆う第２前側板部３１ｂとからなる。
【００２９】
図９に示すように下面板３３の表面には円板状のシート座面２２が形成される。また、蓋板部２９にはハンドル２３が固定されると共にホック３５が固定される。一方、重ね板部３２にはハンドル２３が挿入し得る孔３６と、ホック３５に嵌まり込むホック３７が設けられている。このハンドル２３に代えこの各側板部に手指挿入可能なような凹みや孔を設けてもよい。このような凹みに指を嵌挿して持ち運びが容易にしてもよい。
【００３０】
図１０は収納ケース２の略平面シート状部材からの組み上げ途中の状態を示す側板２４を除去した側面説明図である。
まず、略平面シート状部材の蓋板部２９を立ち上げボックス部２７の開口部２８を閉止する。次に、底板部３０を立ち上げ、側板２４，２４間を連結した薄板２５と重合させると共に下面板３３を薄板２５の前面を覆う位置に折り曲げて薄板２５に当接する。これにより下面板３３と薄板２５と底板部３０が重なり合い二重底（正確には三重底）の底面部３８を形成する。また、この状態で下面板３３のシート座面２２は前面を向き、次に、前側板部３１でボックス部２７の上面を覆うと共に重ね板部３２を蓋板部２９に重合させる。この場合、ハンドル２３は孔３６を貫通して露出する。この状態でホック３５，３７を嵌合させると図６，図７に示した形状に組み上げられ、固定される。
【００３１】
即ち、前記したように、かつら保持具１の収納される内部空間２１が形成されると共に内部空間２１側を向いてシート座面２２が配置される。なお、収納ケース２はホック３５，３７の嵌合を解除することにより容易に図８，図９に示した状態に復帰できる。
【００３２】
以上の構造の収納ケース２の重ね板部３２と蓋板部２９を開口することにより、かつら保持具１は内部空間２１内に挿入され、かつら保持具１の固着部７の吸盤部１７ａを箱体の底に配置したシート座面２２に押圧することにより、かつら保持具１は収納ケース２内に安定して固着される。
【００３】
吸盤部材１７は従来より着脱自在の吸着部材として非常に効果的なものであり、且つ着脱も比較的容易にできる便利なものである。特に、吸盤部１７ａを合成樹脂材のシート座面２２に吸着させると吸着力が強くなり、かつら保持具１は確実に、且つ安定状態で収納ケース２に固着される。また、かつら保持具１を取り外すにはかつら保持具１に押圧力を少し加えるだけで簡単にできる。また、シート座面２２が広面積の円板からなり、均等に配設されている複数個の吸盤部材１７を特別な位置合わせを必要とせずに簡単に吸着させることができる。また、複数の吸盤部材１７は等分に配設されているためかつら保持具１は安定状態に固着される。
【００３４】
【発明の効果】
本発明の携帯用かつら保持具と収納ケースによれば、この携帯用かつら保持具にかつらが安全、且つ安定状態で保持されて保護されると共に収納ケースに入れて運搬が自在にでき、この収納ケース内ではかつらの型崩れが発生せず、かつらの着脱も容易にできる効果を上げることができる。
【図面の簡単な説明】
【図１】本発明の携帯用かつら保持具にかつらを保持した状態で収納ケース内に収納されている状態を示す模式図である。
【図２】本発明の携帯用かつら保持具の詳細構造を示す断面図である。
【図３】本発明の携帯用かつら保持具の底面図である。
【図４】本発明の携帯用かつら保持具の吸盤部材まわりの詳細構造を示す部分断面図である。
【図５】本発明の携帯用かつら保持具の使用状態の１つを示す模式図である。
【図６】本発明に係る収納ケースの外観斜視図である。
【図７】図６のＡ−Ａ線断面図である。
【図８】本発明の収納ケースの展開側面図である。
【図９】本発明の収納ケースの展開時における斜視図である。
【図１０】本発明の収納ケースの組み立て途中の状態を示す側面説明図である。
【符号の説明】
１      かつら保持具
２      収納ケース
３      かつら
４      台座
５      保持部
５ａ    空隙部
６      連結具
７      固着部
８      フランジ部
９      ねじ部
１０    椀状凹部
１１    ボス部
１２    球体部
１３    係止部
１４    ナット
１５    略弧状面
１６    固定孔
１７    吸盤部材
１７ａ  吸盤部
１８    凸部
１９    ビス
２０    頭部
２１    内部空間
２２    シート座面
２３    ハンドル
２４    側板
２５    薄板
２６    後側板部
２７    ボックス部
２８    開口部
２９    蓋板部
３０    底板部
３１    前側板部
３１ａ  第１前側板部
３１ｂ  第２前側板部
３２    重ね板部
３３    下面板
３４    コーナ部
３５    ホック
３６    孔
３７    ホック
３８    底面部
【図１】
0004399101.tif 000002
【図２】
0004399101.tif 000003
【図３】
0004399101.tif 000004
【図４】
0004399101.tif 000005
【図５】
0004399101.tif 000006
【図６】
0004399101.tif 000007
【図７】
0004399101.tif 000008
【図８】
0004399101.tif 000009
【図９】
0004399101.tif 000010
【図１０】
0004399101.tif 000011